(57)【要約】【課題】  表示手段へ表示するデータの表示時間を制御することが可能な情報処理装置を提供することを目的とする。【解決手段】  パーソナルコンピュータ１０は、無線ＬＡＮコントローラ１１８を介して、表示データ及び表示時間を示すデータ（以後、表示時間データ）を送信する。ここで、表示時間データは、例えば現在の情報を１０分間だけ表示させたい場合に、１０分という数値を示すデータを言う。表示装置３０は、表示データと表示時間データとをメインメモリ３１４へ保存するとともに、制御部３１２が、ＲＴＣ３１９が計時する時間情報とメインメモリ３１４に保存されている表示時間データとを比較し、ＶＲＡＭ３１１のデータを削除するか否かを判断する。比較した結果、表示時間データが示す時間を越えた時間経過している場合には、ＶＲＡＭ３１１に保持されているデータを削除することで、データの表示を中止する。【選択図】  図１
2007155827.tif 000002
【特許請求の範囲】
【請求項１】
表示手段と、前記表示手段へ表示する表示データを記憶する第一のメモリと、前記表示データの表示時間を示す表示時間データを記憶する第二のメモリと、前記表示データが前記表示手段に表示されてからの経過時間を計測するカウンターと、前記カウンターが計測した経過時間と前記表示時間データとを比較し、前記経過時間が前記表示時間データを超えていた場合に、前記第一のメモリに記憶されている前記表示データを削除する制御手段と、を具備することを特徴とする情報処理装置。
【請求項２】
前記制御手段は、前記第一のメモリに記憶される前記表示データを書き換える機能を有し、前記制御手段により、前記第一のメモリに記憶されている前記表示データが変更された場合、前記カウンターが計測している経過時間をリセットすることを特徴とする請求項１に記載の情報処理装置。
【請求項３】
前記制御手段は、前記第二のメモリに記憶される前記表示時間データを書き換える機能を有し、前記制御手段により、前記第二のメモリに記憶されている前記表示時間データが変更された場合、前記カウンターが計測している経過時間をリセットすることを特徴とする請求項１または２に記載の情報処理装置。
【請求項４】
前記表示装置は、さらに前記表示時間データを入力する入力手段を有することを特徴とする請求項１に記載の情報処理装置。
【請求項５】
通信手段を介してデータ通信可能な第一の機器と第二の機器とを有する情報処理システムにおいて、前記第一の機器は、第一の表示手段と、前記第一の表示手段へ表示する表示データおよび前記表示データの表示時間データを記憶する第一のメモリと、前記第二の機器との間で前記表示データと前記表示時間データとを通信可能な第一の通信手段とを具備し、前記第二の機器は、第二の表示手段と、前記第一の通信手段と通信可能な第二の通信手段と、前記第二の通信手段を介して受け取った前記表示データを記憶する第二のメモリと、前記第二の通信手段を介して受け取った前記表示時間データを記憶する第三のメモリと、前記表示データが表示されてからの経過時間を計測するカウンターと、前記カウンターが計測した経過時間と前記表示時間データとを比較し、前記経過時間が前記表示時間データを超えていた場合に、前記第二のメモリに記憶されている前記表示データを削除する制御手段と、を具備することを特徴とする情報処理装置システム。
【請求項６】
前記第二の機器は、さらに前記表示時間データを入力する入力手段を有することを特徴とする請求項５に記載の情報処理装置システム。
【請求項７】
前記制御手段は、前記第二の通信手段を介して前記表示データを受け取った場合、前記カウンターが計測している経過時間をリセットすることを特徴とする請求項５または６に記載の情報処理装置。
【請求項８】
前記制御手段は、前記第二の通信手段を介して前記表示時間データを受け取った場合、前記カウンターが計測している経過時間をリセットすることを特徴とする請求項５または７に記載の情報処理装置。
【請求項９】
表示手段を有する情報処理装置の表示制御方法であって、前記表示手段へ表示する表示データおよび前記表示データの表示時間を示す表示時間データを記憶し、前記表示データが前記表示手段に表示されてからの経過時間を計測し、前記計測した経過時間と前記表示時間データとを比較し、前記経過時間が前記表示時間データを超えていた場合に、前記第一のメモリに記憶されている前記表示データを削除することを特徴とする表示制御方法。
【請求項１０】
前記表示データまたは前記表示時間データが変更した場合、前記経過時間の計測をリセットすることを特徴とする請求項９に記載の表示制御方法。 
【発明の詳細な説明】
【技術分野】
【０００１】
本発明は、表示手段を備えた情報処理装置に関する。
【背景技術】
【０００２】
パソコンなどの情報処理装置の表示画面に表示された情報を第三者へ見せる手段として、ＣＲＴ（Cathode-ray tube）やプロジェクタが用いられている。これらは、パソコンと有線ケーブルで接続されるものがほとんどであり、使用される場所が制限されている。また、ＣＲＴであれば、ＣＲＴを配置可能なスペースが必要であるし、プロジェクタの場合、多くの人に説明する場合は良いが、例えば客先で商談をする場合には、広いスペースが必要となるため、適切とは言いがたい。  
【０００３】
また、例えば、商談をしている場合を考えると、いろいろな条件を変えて見積もりなどを作成している場合が多く、見積もり作成する情報処理装置とは別の表示装置を用いて、相手へ提示する場合もある。この場合、その条件などは、その場、その時だけに適用できるものであるため、その交渉の場でのみ有効に表示できるほうが好ましい。したがって、特定の時間だけ表示を行うことが可能な機器が望ましい。  
【０００４】
また、従来、表示した情報のセキュリティとプライバシーを守るため、表示装置への給電が一定時間途絶えたときに表示内容を消去する技術（特許文献１）が存在する。
【特許文献１】特開２００４−６９９６５号公報
【発明の開示】
【発明が解決しようとする課題】
【０００５】
上記特許文献１に記載の技術は、表示装置への給電が一定時間途絶えた場合に表示内容を消去するものであり、逆に給電がなされている状態では表示内容は表示された状態が継続する。表示内容を表示させないためには、給電を停止させる必要があり、表示を行うか行わないかで、表示装置への給電開始、停止の手間がかかり不都合である。  
【０００６】
本発明は上述の事情を考慮してなされたものであり、表示手段へ表示するデータの表示時間を制御することが可能な情報処理装置を提供することを目的とする。
【課題を解決するための手段】
【０００７】
上記目的を達成するために、請求項１に係る発明では表示手段と、表示手段へ表示する表示データを記憶する第一のメモリと、表示データの表示時間を示す表示時間データを記憶する第二のメモリと、表示データが表示されてからの経過時間を計測するカウンターと、カウンターが計測した経過時間と表示時間データとを比較し、経過時間が表示時間データを超えていた場合に、第一のメモリに記憶されている表示データを削除する制御手段と、を具備することを特徴とする。  
【０００８】
このような構成により、表示手段へ表示するデータの表示時間を制御することが可能な情報処理装置を提供することが可能となる。  
【０００９】
また、請求項５にかかる発明では、通信手段を介してデータ通信可能な第一の機器と第二の機器とを有する情報処理システムにおいて、第一の機器は、第一の表示手段と、第一の表示手段へ表示する表示データおよび表示データの表示時間データを記憶する第一のメモリと、第二の機器との間で表示データと表示時間データとを通信可能な第一の通信手段とを具備し、第二の機器は、第二の表示手段と、第一の通信手段と通信可能な第二の通信手段と、第二の通信手段を介して受け取った表示データを記憶する第二のメモリと、第二の通信手段を介して受け取った表示時間データを記憶する第三のメモリと、表示データが表示されてからの経過時間を計測するカウンターと、カウンターが計測した経過時間と表示時間データとを比較し、経過時間が表示時間データを超えていた場合に、第二のメモリに記憶されている表示データを削除する制御手段と、を具備する。  
【００１０】
このような構成により、表示手段へ表示するデータの表示時間を制御することが可能な情報処理装置システムを提供することが可能である。  
【００１１】
また、請求項９に係る発明では、表示手段を有する情報処理装置の表示制御方法であって、表示手段へ表示する表示データおよび表示データの表示時間を示す表示時間データを記憶し、表示データが表示手段に表示されてからの経過時間を計測し、計測した経過時間と表示時間データとを比較し、経過時間が表示時間データを超えていた場合に、第一のメモリに記憶されている表示データを削除することを特徴とする。  
【００１２】
このような構成により、表示手段へ表示するデータの表示時間を制御することが可能な表示制御方法を提供することが可能となる。  
【発明の効果】
【００１３】
本発明によれば、表示手段へ表示するデータの表示時間を制御することが可能な情報処理装置を提供することが可能である。  
【発明を実施するための最良の形態】
【００１４】
以下本発明に係る実施の形態を、図面を参照して説明する。  
【００１５】
図１は本実施形態に係る表示システムの構成例である。  
【００１６】
図１はノートブック型パーソナルコンピュータ１０と、表示装置３０とから構成されるシステム例である。パーソナルコンピュータ１０と表示装置３０とは一般的には情報処理装置と呼ばれるものである。パーソナルコンピュータ１０は、ディスプレイユニットを開いた状態における正面図の一例である。コンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。例えば高画質（ＨＤ）映像に対応できるようにＬＣＤ１７の表示画面を１６：９のアスペクト比とすることが可能である。  
【００１７】
ディスプレイユニット１２は、コンピュータ本体１１に対して開放状態と閉塞状態との間を回動自在に取り付けられている。コンピュータ本体１１は略箱形の筐体を有しており、その上面にはキーボード１３、コンピュータ１０を電源オン／オフするためのパワーボタン１４、入力操作パネル１５、タッチパッド１６などが配置されている。さらに、キーボード１３の上部の左右には一対のスピーカ２２、２４が配置され、キーボード１３の下部の右端には音量調整のためのロータリーエンコーダ２６が設けられ、ロータリーエンコーダ２６の左側には音量レベルを表示するためのレベルインジケータ２８が配置される。  
【００１８】
また、表示装置３０は、筐体３１内にＬＣＤ３２が設けられ、各種データを表示することが可能である。このＬＣＤ３２は、例えばタッチパネルと呼ばれる面入力装置も配置されている。  
【００１９】
次に、図２を参照して、パーソナルコンピュータ１０のシステム構成の一例について説明する。図２は本実施形態に係るパーソナルコンピュータのハードウェア構成図を示す。  
【００２０】
コンピュータ１０は、図２に示すように、ＣＰＵ１１１、グラフィックス・メモリコントローラハブ１１２、メインメモリ１１３、グラフィクスコントローラ１１４、Ｉ／Ｏハブ１１５、ＢＩＯＳ−ＲＯＭ１１６、ハードディスクドライブ（ＨＤＤ）１１７、無線ＬＡＮコントローラ１１８、およびエンベデッドコントローラ／キーボードコントローラＩＣ（ＥＣ／ＫＢＣ）１１９、ＲＴＣ（Ｒｅａｌ Ｔｉｍｅ Ｃｌｏｃｋ）１２１等を備えている。  
【００２１】
ＣＰＵ１１１はコンピュータ１０の動作を制御するために設けられたプロセッサであり、ハードディスクドライブ（ＨＤＤ）１１７からメインメモリ１１３にロードされる、オペレー
ティングシステム（ＯＳ）および各種アプリケーションプログラムを実行する。ＯＳは、複数のウィンドウを表示画面上に表示するためのウィンドウシステムを有している。また、ＣＰＵ１１１は、ＢＩＯＳ−ＲＯＭ１１６に格納されたシステムＢＩＯＳ（Basic Input Output System）も実行する。システムＢＩＯＳはハードウェア制御のためのプログラムである。  
【００２２】
グラフィックス・メモリコントローラハブ１１２はＣＰＵ１１１のローカルバスとＩ／Ｏハブ１１５との間を接続するブリッジデバイスである。グラフィックス・メモリコントローラハブ１１２には、メインメモリ１１３をアクセス制御するメモリコントローラも内蔵されている。また、グラフィックス・メモリコントローラハブ１１２は、ＡＧＰ（Accelerated Graphics Port）バスなどを介してグラフィクスコントローラ１１４との通信を実行する機能も有している。  
【００２３】
グラフィクスコントローラ１１４はコンピュータ１０のディスプレイモニタとして使用されるＬＣＤ１７を制御する表示コントローラである。このグラフィクスコントローラ１１４はビデオメモリ（ＶＲＡＭ）１２０を有しており、ＯＳ／アプリケーションプログラムによってビデオメモリに描画された表示データから、ＬＣＤ１７に表示すべき表示イメージを形成する映像信号を生成する。  
【００２４】
グラフィクスコントローラ１１４によって生成された映像信号、例えば、ＬＶＤＳ（Low voltage differential Signaling）形式の信号から構成されている信号はＬＣＤ１７に供給される。また、グラフィクスコントローラ１１４は、外部ＣＲＴへアナログ映像信号を出力するためのインタフェース、およびアナログ映像信号をＳビデオ端子を介して外部に出力するためのインタフェースも有している。  
【００２５】
Ｉ／Ｏハブ１１５は、ＬＰＣ（Low Pin Count）バス上の各デバイスを制御する。また、Ｉ／Ｏハブ１１５は、ＨＤＤ１１７を制御するためのＩＤＥ（Integrated Drive Electronics）コントローラを内蔵している。さらに、Ｉ／Ｏハブ１１５は、ＢＩＯＳ−ＲＯＭ１１６をアクセス制御するための機能も有している。  
【００２６】
無線ＬＡＮコントローラ１１８は、外部の機器との無線通信を行うためのインターフェースであり、無線ＬＡＮコントローラ１１８を介して表示データを、表示装置３０へ送信する。  
【００２７】
エンベデッドコントローラ／キーボードコントローラＩＣ（ＥＣ／ＫＢＣ）１１９は、電力管理のためのエンベデッドコントローラと、キーボード（ＫＢ）１３およびタッチパッド１６を制御するためのキーボードコントローラとが集積された１チップマイクロコンピュータである。  
【００２８】
このエンベデッドコントローラ／キーボードコントローラＩＣ（ＥＣ／ＫＢＣ）１１９は、ユーザによるパワーボタン１４の操作に応じてコンピュータ１０をパワーオン／パワーオフする機能を有している。  
【００２９】
ＲＴＣ１２１は、時間を計測するデバイスであり、時刻情報などを管理するものである。パーソナルコンピュータ１０内のモジュールはこのＲＴＣ１２１の計時する時刻情報を基準として動作される。  
【００３０】
続いて図３に本実施形態に係る表示装置のハードウェア構成図を示す。  
【００３１】
表示装置３０は、パーソナルコンピュータ１０から送信されたデータを表示するＬＣＤ３２や、ＬＣＤ３２に表示する表示データを保存するビデオメモリ（ＶＲＡＭ）３１１、表示装置３０を制御する制御部３１２およびパーソナルコンピュータ１０との間でデータの送受信を行う無線ＬＡＮコントローラ３１３、ＲＴＣ３１９などを有する。  
【００３２】
制御部３１２は、この表示装置３０全体の制御をつかさどり、メインメモリ３１４に格納されている表示データをＶＲＡＭ３１１に写し、このＶＲＡＭ３１１に格納されているデータがＬＣＤ３２へ表示される。  
【００３３】
無線ＬＡＮコントローラ３１３は、パーソナルコンピュータ１０との間で無線通信を用いてデータのやり取りを行うインターフェースであり、外部の無線機器から無線ＬＡＮコントローラ３１３を介したデータはメインメモリ３１４へ送られ、保存・記憶される。  
【００３４】
またＥＣ／ＫＢＣ３１５は、電力管理のためのエンベデッドコントローラと、タッチパッド３１６を制御するためのキーボードコントローラとが集積された１チップマイクロコンピュータである。このＥＣ／ＫＢＣ３１５は、ユーザによるタッチパッド３１６への入力操作に応じて、制御部３１２へ入力信号を通知する。  
【００３５】
電源コントローラ３１７は、ＥＣ／ＫＢＣ３１５に接続されており、バッテリ３１８や図示しないＡＣアダプタからの電力を制御して、表示装置３０への電源供給を行う。  
【００３６】
ＲＴＣ３１９は、時間を計測するデバイスであり、時刻情報などを管理するものである。表示装置３０内のモジュールはこのＲＴＣ３１９の計時する時刻情報を基準として動作される。本実施形態では、表示データがＶＲＡＭ３１１に保存された場合に、カウントを開始する。  
【００３７】
本実施形態では、ＬＣＤ３２に表示されている情報は、予めユーザにより設定された設定時間内のみ表示されるものであり、設定時間経過後にＶＲＡＭ３１１から表示データが削除される。この制御の概要は以下の通りである。  
【００３８】
パーソナルコンピュータ１０にて作成されたデータは、無線ＬＡＮコントローラ１１８を介して、表示装置３０へ送信される。  
【００３９】
表示装置３０は無線ＬＡＮコントローラ３１３でデータを受信して、その表示データを一旦メインメモリ３１４に保存した後、制御部３１２によりＶＲＡＭ３１１へコピーされ、このＶＲＡＭ３１１の情報をＬＣＤ３２へ表示する。  
【００４０】
パーソナルコンピュータ１０は、表示させるデータを表示装置３０へ送信する際に、表示時間を示すデータ（以後、表示時間データ）も送信する。ここで、表示時間データは、例えば現在の情報を１０分間だけ表示させたい場合に、１０分という数値を示すデータを言う。  
【００４１】
表示装置３０は、表示時間データもメインメモリ３１４へ保存するとともに、制御部３１２が、ＲＴＣ３１９が計時する時間情報とメインメモリ３１４に保存されている表示時間データとを比較し、ＶＲＡＭ３１１のデータを削除するか否かを判断する。  
【００４２】
比較した結果、表示時間データが示す時間を越えた時間経過している場合には、ＶＲＡＭ３１１に保持されているデータを削除することで、データの表示を中止する。当然、これらの動作は、パーソナルコンピュータ１０も表示装置３０もシステムへ電源が供給されている状態で行われる。  
【００４３】
この制御の詳細について、図４を用いて本実施形態に係る表示制御フローチャートを示す。この制御フローチャートは表示装置３０の例である。  
【００４４】
まず、初期設定として、ＲＴＣ３１９のカウンターをリセットする（ステップＳ１０１）。続いて、無線ＬＡＮコントローラ３１３を介してデータを受信した場合（ステップＳ１０２のＹＥＳ）、このデータの中に、新しい表示時間データ（表示を継続させる時間情報）が含まれているか否か判断する（ステップＳ１０３）。  
【００４５】
制御部３１２は、新しい時間情報データが含まれていると判断した場合は（ステップＳ１０３のＹＥＳ）、新たに受信した表示時間情報をメインメモリへ保存する（ステップＳ１０４）。  
【００４６】
続いて、受信したデータに新しい表示データが含まれているかを判断する（ステップＳ１０５）。  
【００４７】
制御部３１２は現在表示しているデータと比べ、異なるデータであると判断した場合には（ステップＳ１０５のＹＥＳ）、新たに受信した表示データをメインメモリ３１４に保存（ステップＳ１０６）した後、ＶＲＡＭ３１１に書き込む（ステップＳ１０７）。  
【００４８】
新しい表示データを受信したことで、ＲＴＣ３１９のカウンターをリセットする。設定されている表示時間については、変わらない。例えば、表示時間データが１０分と設定されている場合で、表示開始後６分経過後に新しい表示データを受信した場合、「６分経過」という経過時間は「０（ゼロ）」にリセットされ、新たに１０分のカウントを開始する。  
【００４９】
また、ステップＳ１０５において、受信データに新たな表示データは含まれていなかった場合（ステップＳ１０５のＮＯ）、ステップＳ１０１に戻りＲＴＣのカウンターをリセットし、新たな表示時間のカウントを開始する。  
【００５０】
次に、ステップＳ１０３において、新たな表示時間データが含まれていないと判断された場合(ステップＳ１０３のＮＯ)、新たな表示データが含まれているかを判断する（ステップＳ１０８）。  
【００５１】
ここで、受信データに新たな表示データが含まれている場合は（ステップＳ１０８のＹＥＳ）、ステップＳ１０６へ移行し、同様の処理を行う。  
【００５２】
つまり、受信データに少なくとも新たな表示時間データか新たな表示データかのいずれかが含まれている場合は、ＲＴＣ３１９のカウンターをリセットする。  
【００５３】
次に、ステップＳ１０８において新たな表示データが含まれていない場合（ステップＳ１０８のＮＯ）、つまり受信データには新たな表示時間データも表示データも含まれていない場合、制御部３１２は、ＲＴＣ３１９のカウンターがメインメモリ３１４に保持されている表示時間データを越えているか否か判断する（ステップＳ１０９）。  
【００５４】
ここで、設定されている表示時間を越えていると判断されて場合（ステップＳ１０９のＹＥＳ）は、ＶＲＡＭ３１１内の表示データを削除し（ステップＳ１１０）、ＶＲＡＭ３１１に例えば黒色のデータなどの仮データを書き込む（ステップＳ１１１）。単にＶＲＡＭ３１１に保持されているデータを削除するだけでも良い。  
【００５５】
上述のように、本実施形態では、表示データを所定時間だけ表示部に表示する制御を行う。  
【００５６】
本実施形態では、パーソナルコンピュータと表示装置で構成するシステムの例を示したが、パーソナルコンピュータを２台用いたシステムでも適用可能である。さらに、機器間の通信には、無線通信デバイス以外に、ＵＳＢ（Ｕｎｉｖｅｒｓａｌ Ｓｅｒｉａｌ Ｂｕｓ）やＩＥＥＥ１３９４などの有線接続でも構わない。  
【００５７】
さらに表示装置３０は、タッチパッド３１６を介して、表示時間データを入力することも可能である。図５に表示装置の表示例の図を示す。  
【００５８】
ＬＣＤ３２には、表示データが示されている状態で、実施形態ではＬＣＤ３２の左上に残り表示時間を表示する枠４１があり、右下には表示時間データを更新するための入力枠４２が表示される。  
【００５９】
ユーザは、入力枠４２に、例えば付属のペン入力デバイスなどで手書き入力する。若しくは、予め決められた表示時間をドロップダウンリストとして表示して選択するようにしても良い。ここで入力された表示時間データはメインメモリ３１４に保持される。このアクションは、図４で示した制御フローチャートの中では、ステップＳ１０３に相当し、カウンターがリセットされる。また、この表示装置３０にＵＳＢ等の外部インターフェースが設けられている場合は、ＵＳＢ接続などのキーボードを接続して表示時間入力することも可能である。  
【００６０】
このように、表示装置３０単体で表示時間の設定を可能とすることもできる。  
【００６１】
以上詳述したように、表示手段へ表示するデータの表示時間を制御することが可能な情報処理装置を提供することが可能である。これにより、情報の漏洩、セキュリティの強化が可能になる。  
【００６２】
本発明ではその主旨を逸脱しない範囲であれば、上記の実施形態に限定されるものではない。
【図面の簡単な説明】
【００６３】
【図１】本発明の実施形態に係るシステム構成図。
【図２】本実施形態に係るパーソナルコンピュータのハードウェア構成図。
【図３】本実施形態に係る表示装置のハードウェア構成図。
【図４】本発明の実施形態に係る表示制御フローチャート。
【図５】本発明の実施形態に係る表示装置の表示例の図。
【符号の説明】
【００６４】
１０…コンピュータ１１…コンピュータ本体１２…ディスプレイユニット１３…キーボード１７、３２…ＬＣＤ２６…ロータリーエンコーダ３０…表示装置１１１…ＣＰＵ１１２…グラフィックス・メモリコントローラハブ１１３、３１４…メインメモリ１１５…Ｉ／Ｏハブ１１８、３１３…無線ＬＡＮコントローラ１１９、３１５…ＥＣ／ＫＢＣ１２０、３１１…ＶＲＡＭ１２１、３１９…ＲＴＣ３１２…制御部３１７…電源コントローラ３１８…バッテリ 
【図１】
2007155827.tif 000003
【図２】
2007155827.tif 000004
【図３】
2007155827.tif 000005
【図４】
2007155827.tif 000006
【図５】
2007155827.tif 000007